(57)【要約】【課題】皮膚等に付着して残っている排泄汚物等を簡単、かつ、きれいに除去して清潔に維持させる。【解決手段】オゾン水噴霧装置１と、汚物・水分吸引捕集装置２とからなる。噴霧装置１はオゾン発生器１１と、この発生器へ圧力空気を送給する空気送給手段１２と、水Ｗを収容した容器１３と、噴射手段とを備え、発生器１１から送出されるオゾン含有空気の空気圧を利用して容器内の水をオゾンを含有空気と一緒に噴霧させて皮膚等に付着している汚物を洗い落とす。吸引捕集装置２は捕集用フィルター５４を出し入れ可能に収容した汚物及び水分吸引捕集管５１と、捕集管５１の後端側に接続して設けたバキューム手段５２と、捕集管５１の先端側に設けた吸引ノズル５３とを備え、ノズルから吸引される汚物等及び水分を捕集用フィルター５４で捕集する。【選択図】            図２
2004275701.tif 000002
【特許請求の範囲】
【請求項１】
オゾン水噴霧装置と、汚物・水分吸引捕集装置とを備え、
前記オゾン水噴霧装置は、オゾン発生器と、このオゾン発生器へ圧力空気を送給する空気送給手段と、水等の液体を収容する容器と、前記オゾン発生器から圧力送出されるオゾン含有空気を噴射口へ輸送する輸送手段と、前記オゾン含有空気の空気圧を利用して前記容器内の液体を前記オゾン含有空気と一緒に噴霧させる噴霧手段とを有し、
前記吸引捕集装置は、汚物及び水分吸引捕集管と、この捕集管の後端側にホースを介して接続して設けたバキューム手段と、前記捕集管の先端側に設けた吸引ノズルと、前記捕集管内に出し入れ可能に収容し、吸引される汚物及び水分を捕集する捕集用フィルターとを有してなることを特徴とする、
洗浄吸引装置。
【請求項２】
前記オゾン発生器は空気導入口及び空気排出口を有する外筒と、この外筒内に収容して設けた紫外線ランプとを有してなることを特徴とする、請求項１記載の洗浄吸引装置。
【請求項３】
前記オゾン発生器、空気送給手段及びバキューム手段は１つのハウジング内に収容して配設されていることを特徴とする、請求項１又は２記載の洗浄吸引装置。
【請求項４】
前記捕集用フィルターは汚物を捕集する汚物捕集用フィルターと、水分を吸収する水分捕集用フィルターとで構成されていることを特徴とする、請求項１ないし３のいずれか１項に記載の洗浄吸引装置。
【発明の詳細な説明】
【０００１】
【発明の属する技術分野】
本発明は、洗浄吸引装置、さらに詳しくは、例えば寝たきり高齢者等の身体に付着している排泄汚物等を洗浄処理する洗浄吸引装置に関するものである。なお、本発明は犬や猫その他のペット用動物等の身体等に付着している排泄汚物等の洗浄処理用としても使用することができる。
【０００２】
【従来の技術】
従来より、例えば老人福祉施設、保健施設、或いは一般家庭内における寝たきり高齢者などの排泄汚物の処理は介護作業の中で一番困っている問題である。これらの作業は毎日毎回くり返して継続し、高齢者等を預かっている施設は勿論のこと、一般家庭の介護も同様である。近年において、高齢者等の介護は社会問題化している極めて大きな課題になっている。
【０００３】
一般に寝たきり高齢者等は紙オムツを使用しており、排泄された大部分の汚物は紙オムツで除去されるが、皮膚等に付着している汚物はどうしても残る。従来は紙オムツにより汚物を拭き取っているが、この方法では汚物を完全に取り除くことはできず、皮膚等に汚物が残るため肌荒れが起き易い原因となっている。また、上記したように、排泄汚物が残るため、臭気が発生する問題を有している。
【０００４】
従来、この種の洗浄吸引装置として、身体に付着している排泄物等の被吸引物を吸い込む吸い口部と、この吸い口部につながる吸引手段と、この吸引手段の作用によって前記吸い口部から吸い込まれた被吸引物を蓄える被吸引物タンクと、液を蓄える液用タンクと、このタンク内の液を被吸引物に対して吹き付ける液吹付手段とを具備し、液吹付手段によって被吸引物に吹き付けた液と共に被吸引物を、前記吸い口部から前記吸引手段の作用によって吸引し、前記被吸引物用タンクに蓄えるように構成したものがある（例えば、特許文献１参照）。この従来の装置（従来技術）によれば、高齢者等の皮膚等に付着している排泄汚物等を除去することができる。
【０００５】
しかし、従来技術はタンク内の液をポンプ等で吹き付けるため、吹き付ける液の量が多量になる。そのため、この吹き付けるた液が周囲に飛散し、或いはもれたりして敷布等を濡らすおそれを有している。また、従来技術は排泄汚物等の被吸引物を液と共に吸引し、ホース内を輸送して被吸引物用タンク内に蓄えるように構成してあるため、ホースの内壁面やタンク内に排泄汚物等が付着して汚染する問題を有している。さらにまた、従来技術は単に水やぬるま湯等の液を吹き付けるものであるため、臭気が残る等の問題も有している。
【０００６】
【特許文献】
特開２００１−１６１７６２号公報
【０００７】
【発明が解決しようとする課題】
本発明は上記のような実情に鑑み、従来技術の上述した問題点を解消し、寝たきり高齢者等の皮膚等に付着して残っている排泄汚物等、或いはペット用の動物等の皮膚等に付着して残っている排泄汚物等を簡単、かつ、確実に除去して清潔に維持することができる洗浄吸引装置を提供することを目的とするものである。
【０００８】
【課題を解決するための手段】
前記目的を達成するため、本発明はオゾン水噴霧装置と、汚物・水分吸引捕集装置とを備え、前記オゾン水噴霧装置は、オゾン発生器と、このオゾン発生器へ圧力空気を送給する空気送給手段と、水等の液体を収容する容器と、前記オゾン発生器から圧力送出されるオゾン含有空気を噴射口へ輸送する輸送手段と、前記オゾン含有空気の空気圧を利用して前記容器内の液体を前記オゾン含有空気と一緒に噴霧させる噴霧手段とを有し、前記吸引捕集装置は、汚物及び水分吸引捕集管と、この捕集管の後端側にホースを介して接続して設けたバキューム手段と、前記捕集管の先端側に設けた吸引ノズルと、前記捕集管内に出し入れ可能に収容し、吸引される汚物及び水分を捕集する捕集用フィルターとを有してなることを特徴とする。
【０００９】
本発明によれば、空気送給手段を稼動すると、圧力空気がオゾン発生器へ送給され、オゾン発生器内でオゾン含有空気となり、この空気はオゾン発生器から圧力排出されて噴射口へ輸送される。そして、オゾン含有空気の空気圧を利用して前記容器内の液体（水等）をオゾン含有空気と一緒に噴射口の部位から噴霧される。つまり、前記容器内の液体には前記空気が混入してオゾン含有液体（オゾン溶液）となり、このオゾン含有水が前記空気と共に噴霧される。そこで、噴射口を所定部に向けることにより、皮膚等に付着している排泄汚物等は剥離され、きれいに洗浄除去される。
【００１０】
次いで、バキューム手段を稼動し、吸引ノズルの先端を所定部に当てると、前記洗浄により洗い落とされた汚物及び水分はノズル先端から吸引捕集管へ吸引される。そして、前記捕集管の捕集用フィルターを通過する間に汚物及び水分はフィルターで全て捕集される。したがってホース内は空気だけが通過するので、ホースの内壁面やバキューム手段に排泄汚物等が付着して汚染する問題を解消できる。前記フィルターは適当時に新しいものと交換する。
【００１１】
また、オゾン含有液体を空気と共に噴霧することにより次のような作用を奏する。（１）排泄汚物等の臭気を最低レベルに脱臭できる。（２）汚物の付着している皮膚等の殺菌、消毒をすることができる。（３）汚物洗浄後の皮膚等を活性化する効果を期待できる。（４）オゾン含有空気と共に液体を噴霧するので、液体の噴霧量は少量である。したがって、従来技術のように液体がもれたりして敷布等を濡らす問題を解消できる。
【００１２】
本発明において、前記オゾン発生器は請求項２記載の発明のように、空気導入口及び空気排出口を有する外筒と、この外筒内に収容して設けた紫外線ランプとを有して構成することができる。また、請求項３記載の発明のように、前記オゾン発生器、空気送給手段及びバキューム手段は１つのハウジング内に収容して配設する構成を採用することができる。
【００１３】
本発明において、前記捕集用フィルターは請求項４記載の発明のように、汚物を捕集する汚物捕集用フィルターと水分を吸収する水分捕集用フィルターとで構成することもできる。
【００１４】
【発明の実施の形態】
以下、図面を参照して本発明の実施の形態の一例を説明する。図１は本発明の洗浄吸引装置の一実施の形態の全体構成の概要を示す説明図、図２は同上洗浄吸引装置を拡大して断面図で示す説明図、図３は同上装置の吸引捕集管の部分を分解して示す説明図、図４は同上装置の容器の装着部分を拡大し、一部を断面図として示す説明図、図５は同上装置に設けた操作レバーの部分を拡大し、作用を説明するために示す説明図、図６は同上装置の吸引ノズルの先端部分を示す斜視図と正面図、図７は同上装置の吸引捕集管内に収容される水分捕集用フィルターの作用を説明するために示す説明図、図８は同上吸引捕集管内に設けた仕切体を示す正面図、図９は同上吸引ノズルの作用を説明するために示す説明図、図１０は同上装置のスイッチ制御手段の電気回路を説明するために示す説明図である。
【００１５】
これら図１ないし図１０において、この実施の形態（実施の形態１）の洗浄吸引装置は水等の液体をオゾン含有空気と共に噴霧するオゾン水噴霧装置１と、汚物及び水分を吸引して捕集する汚物・水分吸引捕集装置２とを備えている。
【００１６】
オゾン水噴霧装置１は、オゾン発生器１１と、この発生器１１へ圧力空気を送給する空気送給手段１２と、水等の液体（実施の形態１では水道水等の水）を収容する容器１３と、空気噴射管１４と、液体吸い上げ管１５と、空気送給手段１２を稼動・停止するスイッチ制御手段１６とを備えている。
【００１７】
前記オゾン発生器１１は下端にキャスター１７を取付けたハウジング１８内に設けてある。この実施の形態１のオゾン発生器１１は空気導入口１９及び空気排出口２０を有する外筒２１と、この外筒２１内に配設されて紫外線（オゾン線）を照射する任意本数の紫外線ランプ２２とを有している。前記ランプ２２は交換可能に取付けてある。この実施の形態１の前記ランプ２２は、図示しない電源から漏電ブレーカ、安定器２３（チョークボックス）を経て送られる電力により点灯させるように構成してある。
【００１８】
前記空気送給手段１２はコンプレッサー、ブロアーポンプ或いは送風機等で構成され、接続ホース２４を介して外筒２１の空気導入口１９と接続してハウジング１８内に配設されている。前記空気送給手段１２はモータＭ１（図１０参照）で稼動する。これにより空気送給手段１２から外筒２１内へ送られる圧力空気は紫外線ランプ２２から照射される紫外線が作用してオゾン含有の空気となり、このオゾン含有空気は前記排出口２０から圧力送出される。
【００１９】
前記容器１３は適当な大きさに形成され、内部に水道水等の水Ｗが収容されている。容器１３は内部の水Ｗを透視して水位を確認できるように透明素材で構成するか、或いは適当部に透視窓を形成するとよい。実施の形態１では透明プラスチック等の透明素材で構成してある。容器１３の径及び長さは特に限定するものではないが、実施の形態１では手で握れるサイズに形成してある。そして、容器１３を手で握り、スイッチ制御手段１６の後述する操作レバーを操作するように構成してある。また、この実施の形態１の容器１３は上端に、外周面に雄ネジを刻設した口部２５が形成され、後述するように、吸引捕集装置２の汚物及び水分吸引捕集管５１に着脱自在に装着するように構成してある。
【００２０】
吸引捕集装置２の前記吸引捕集管５１の後部側における下部には適当な径及び長さの取付筒体２６が垂下固定して設けてあり、この筒体２６の下端には段部２７を介して筒体２６に延設され、円周面に前記口部２５の雄ネジと螺合するネジ筒２８を備えている。そして、前記容器１３は口部２５を前記ネジ筒２８に螺合して着脱自在に装着されている。
【００２１】
前記空気噴射管１４はオゾン発生器１１の前記排出口２０から送出されるオゾン含有空気を輸送して管先端の噴射口１４ａから噴射するものである。実施の形態１の噴射管１４は前記取付筒体２６に相対して設けた孔２９，２９を貫通させて筒体２６に支持させて設けてある。また、噴射管１４の噴射口１４ａは後述する吸引ノズルのノズル口の近くに臨ませてある。前記噴射管１４の基端１４ｂは両端に取付用のソケット３０，３１を設けた適当長さの空気輸送管３２を介してオゾン発生器１１の前記排出口２０と接続してある。これにより、排出口２０から圧力送出されるオゾン含有空気は輸送管３２、噴射管１４を通り、管先端の噴射口１４ａから噴射するようになっている。
【００２２】
前記液体吸い上げ管１５は基部側を適当な角度（図示では略９０度）で折曲して形成した吸い上げ部１５ａを有し、この吸い上げ部１５ａを前記容器１３内に垂下させて設けてある。この実施の形態１では、前記管１５の外径と対応する嵌合孔を有する支持用リング３３を任意本数の取付杆３４を介して前記筒体２６に固定して設け、このリング３３に前記管１５の吸い上げ部１５ａを貫挿して支持させると共に、吸い上げ部１５ａの下端を前記容器１３の底部近くに位置させて垂下し、設けてある。また、前記管１５の先端側は前記筒体２６に設けた孔３５を貫通させてある。さらにまた、前記管１５は、先端部に前記噴射管１４の中心線と略直交する角度に折り曲げて形成した吹き出し部１５ｂを有し、この吹き出し部１５ｂの先端（上端）を前記噴射管１４の噴射口１４ａに接近させて設けてある。
【００２３】
上記構成により、前記噴射管１４の噴射口１４ａからオゾン含有空気が噴射すると、この噴射部に圧力差（負圧）が発生し、したがって、前記容器１３内の水Ｗは吸い上げ部１５ａを通して順次吸い上げられて吹き出し部１５ｂに達し、霧状になってオゾン含有空気と一緒に噴霧される。なお、実施の形態１では、前記筒体２６の適当部に前記容器１３内と連通する通気孔３６が設けてある。これにより前記容器１３内は大気圧と同圧に保持される。また、図示しないが、所望に応じて前記噴射管１４及び液体吸い上げ管１５の適当部（先端部側）を前記吸引捕集管５１に支持させる支持部材を設けることも可能である。
【００２４】
前記スイッチ制御手段１６は前記空気送給手段１２及び後述するバキューム手段の稼動・停止を制御するものである。この実施の形態１のスイッチ制御手段１６は前記容器１３の前方側に位置させて前記吸引捕集管５１の下部に固定して設けた取付部材３７と、この取付部材３７に軸３８で前後方向に旋回自在に支持させて設けた操作レバー３９と、レバー３９の前後部に位置させて所定の距離を存して取付部材３７に固設したストッパー４０，４１とを有している。前記レバー３９の上端側には作動杆４２が設けてあり、前記レバー３９は前記両ストッパー４０，４１の範囲内で前後方向に旋回自在に構成してある。
【００２５】
前記レバー３９の作動杆４２は復帰バネ４３を有し、このバネ４３で図２において左方向へ引っ張られて復帰するように構成してある。前記取付部材３７には空気送給手段１２のモータＭ１用のスイッチＳ１と、後述するバキューム手段のモータＭ２用のスイッチＳ２が設けてある。また、前記作動杆４２の適当部には図５に示すように、ボール４４を移動自在に収容したボール収容部４５と、ボール４４を取付部材３７方向（図５ｂにおいて左方向）へ付勢せしるコイルバネ４６が設けてある。これによりボール４４は前記バネ４６により図５ｂにおいて左方向へ常時押圧されている。
【００２６】
前記取付部材３７のボール４４が接触する面における所定の部位、つまり、作動杆４２が復帰位置より所定の角度旋回した時点において、ボール４４が位置する部位にはボール４４の一部が係入する係入凹部４７が形成されている。
【００２７】
上記により、レバー３９を旋回操作して作動杆４２が復帰位置から所定角度、即ち、ボール４４が係入凹部４７に係入する位置まで旋回したとき、作動杆４２の先端部によりスイッチＳ１を作動してＯＮ（閉成）にし、モータＭ１を駆動するように構成してある。また、前記位置よりレバー３９をさらに旋回操作し、作動杆４２がストッパー４１に衝当する位置まで旋回したとき作動杆４２の先端部によりスイッチＳ２を作動してＯＮ（閉成）にし、モータＭ２を駆動するように構成してある。なお、作動杆４２が前記ボール４４の係入位置より離れたとき、スイッチＳ１はＯＦＦ（開成）になる。また、レバー３９から手を離すと、レバー３９は復帰バネ４３により元の位置、即ち、作動杆４２がストッパー４０に衝当する位置へ復帰する。レバー３９の復帰によりスイッチＳ２はＯＦＦになる。
【００２８】
汚物・水分吸引捕集装置２は、前記した汚物及び水分吸引捕集管５１と、この吸引捕集管５１の後端側と輸送ホースを介して接続して設けたバキューム手段５２と、前記捕集管５１の先端側に設けた吸引ノズル５３と、前記捕集管５１内に出し入れ可能に収容した捕集用フィルター５４とを備えている。
【００２９】
前記吸引捕集管５１は適当な径及び長さを有する円管状に形成され、捕集管５１の後端には空気を流通する中心孔５６を有し、後述するソケット部材を連結するエンドキャップ５５が気密性を保持させ、かつ、着脱自在に嵌合して取付けてある。また、実施の形態１の前記キャップ５５の内壁面は前記中心孔５６に向けて径が細くなるテーパー部５７ａが形成されている。
【００３０】
前記バキューム手段５２は吸引ポンプ等で構成され、前記ハウジング１８内に配置固定して設けてある。前記バキューム手段５２はモータＭ２（図１０参照）で稼動するように構成してある。前記バキューム手段５２の吸込口５７は両端に取付用のソケット部材５８，５９を設けた適当長さのホース６０を介して前記捕集管５１の前記キャップ５５と接続されている。これにより、バキューム手段５２を稼動することにより、吸引ノズル５３の先端から排泄汚物及び水分を吸引するように構成してある。
【００３１】
前記吸引ノズル５３は先端のノズル口６１から排泄汚物や水分を吸引するものである。この実施の形態１の吸引ノズル５３は後端に前記捕集管５１の先端に気密、かつ、着脱自在に嵌合する嵌合筒部６２が一体形成され、捕集管５１の先端に嵌合して取付けてある。なお、この場合、前記吸引ノズル５３の嵌合筒部６２と前記捕集管５１の先端にロック手段を設け、例えば前記ノズル５３を捕集管５１に嵌合した状態で前記ノズル５３を所定角度回動することによりノズル５３を捕集管５１にロック固定して脱抜を防止し、前記ノズル５３を元の位置に回動することにより前記ロックを解除する構成を採用することも可能である。
【００３２】
前記吸引ノズル５３は先端のノズル口６１の両側部に隆起部６３，６３が相対向して設けてある。この隆起部６３，６３は図９に示すように、ノズル５３の先端を被介護者等の皮膚等６４に当接した際に皮膚等６４とノズル口６１との間に間隙部６５を形成し、皮膚等に付着している排泄汚物等６６や水分等の吸い込みを良好にするために設けたものである。実施の形態１の前記両隆起部６３は適当な曲率で凸状にカーブを付した凸状カーブ面６３ａに形成されている。なお、この場合、前記隆起部６３に代え、前記ノズル５３の先端面の全体を円弧状に形成し、前記ノズル５３を皮膚等６４に当接した際に皮膚等とノズル口６１との間に間隙部を形成する構成等を採用することもできる。
【００３３】
前記捕集用フィルター５４は捕集管５１内に収容され、ノズル口６１から吸引される排泄汚物及び水分を捕集するものである。このフィルター５４は前記作用を有する任意の構成のものを採用することができる。実施の形態１の前記フィルター５４は、図２及び図３に詳細に示すように、汚物を捕集する汚物捕集用フィルター５４ａと、水分を吸収して捕集する水分捕集用フィルター５４ｂとで構成されている。また、前記捕集管５１内に仕切体６７を設け、この仕切体６７を介在して前記捕集管５１の前半側（吸引ノズル５３側）に汚物捕集用フィルター５４ａを収容し、後半側（前記キャップ５５側）に水分捕集用フィルター５４ｂを収容してある。そして、前記汚物捕集用フィルター５４ａを捕集管５１の先端側から出し入れし、また、前記水分捕集用フィルター５４ｂを捕集管５１の後端側から出し入れするように構成してある。前記仕切体６７は適当な径の円板６８と、この円板６８の外周面に突設した所定長さの任意本数（図示では４本、図８参照）の取付杆６９とを備え、円板６８の周囲から空気を自由に流通させるように構成されている。
【００３４】
前記汚物捕集用フィルター５４ａ及び水分捕集用フィルター５４ｂは上述したように前記作用を有する任意の構成のものを採用できる。実施の形態１の汚物捕集用フィルター５４ａはポリプロピレン等の不織布材で構成され、一端を開口した被吸引物導入用の凹所５４ｃが形成されている（図３参照）。また、水分捕集用フィルター５４ｂは濾紙材等で構成し、中心部に空気流通孔５４ｄを備えた筒型状に形成したものを採用している（図７等参照）。これにより、ノズル口６１から吸引された排泄汚物６６（固形物）及び大部分の水分は汚物捕集用フィルター５４ａを通過する間に捕集され、残留水分は図７に示すように、水分捕集用フィルター５４ｂを通過（図７矢印参照）する間に吸収されて捕集され、空気だけが流通孔５４ｄを通り、前記キャップ５５の中心孔５６を経て、前記ホース６０を通って排出される。したがって、ホース６０の内壁面等に排泄汚物や水分等が付着することはなくなる。なお、前述したとおり、前記フィルター５４の素材や構成等は任意に変更できるもので、要はフィルター５４を通過する間に汚物及び水分等を捕集する作用を有するように構成すればよいものである。
【００３５】
実施の形態１の洗浄吸引装置は上記のように構成したもので、次に使用方法の一例及び作用等につき説明する。オゾン発生器１１の電源スイッチ（図示せず）をＯＮにし、容器１３を手で握り、指で操作レバー３９を所定位置まで引くと、作動杆４２によりスイッチＳ１がＯＮになるので、モータＭ１により空気送給手段１２が稼動する。
【００３６】
空気送給手段１２が稼動すると、圧力空気がオゾン発生器１１の導入口１９から外筒２１内へ送給され、オゾン含有空気となって排出口２０から送出され、輸送管３２、噴射管１４を通り、管先端の噴射口１４から噴射される。噴射口１４ａから前記空気が噴射すると、容器１３内の水Ｗは吸い上げ部１５ａを通って順次吸い上げられて吹き出し部１５ｂに達し、霧状になってオゾン空気と共に噴霧される。そこで、噴射口１４ａを例えば寝たきり高齢者等の排泄汚物等６６が付着している部位に向けることにより、皮膚等６４に付着して残っている汚物等６６はきれいに洗浄されて除去される。
【００３７】
次いで、レバー３９を前記位置よりさらに引くと、スイッチＳ１はＯＦＦになって空気送給手段１２は停止し、スイッチＳ２がＯＮになるので、モータＭ２によりバキューム手段５２が稼動する。そこで、ノズル口６１を皮膚等６４の所定部に当接するように向けると、前記洗浄により洗い落とされた汚物等６６及び水分はノズル口６１から吸引ノズル５３を通って捕集管５１内へ吸引される。そして、前記フィルター５４を通過する間に汚物等６６及び水分は上述したように前記フィルター５４ａ，５４ｂで全て捕集され、空気だけがホース６０を通って排出される。前記フィルター５４ａ，５４ｂは所望時、例えば１回の洗浄作業毎に新しいものと交換する。なお、ペット用動物等の場合についても上記と同様である。
【００３８】
図１１は本発明の洗浄吸引装置に採用される吸引捕集管の他の実施の形態（実施の形態２）を断面図で示す説明図である。この実施の形態２は捕集用フィルターの出し入れ部の構成に特徴がある。
【００３９】
即ち、実施の形態２は、汚物及び水分吸引捕集管５１Ａに捕集用フィルター５４を出し入れするフィルター出し入れ用の開閉蓋部材７１を設け、この蓋部材７１を開いて前記フィルター５４を出し入れするように構成したものである。なお、図示しないが、前記蓋部材７１はパッキング等を介在して気密に閉じるように構成してある。また、前記蓋部材７１の適当部に取手等（図示せず）を設け、開閉作業を容易に行なえるように構成することもできる。他の構成は実施の形態１と同様である。
【００４０】
実施の形態２は上記のように構成したもので、これにより実施の形態１と同様の作用効果を奏する。
【００４１】
図１２は本発明の洗浄吸引装置に適用されるスイッチ制御手段の他の実施の形態（実施の形態３）を示す説明図、図１３は図１２のスイッチ制御手段の電気回路を説明するために示す説明図である。実施の形態３はスイッチの操作部の構成に特徴がある。
【００４２】
即ち、実施の形態３は実施の形態１の前記操作レバー３９に代え、前記吸引捕集管５１の下部側の適当部（前記容器１３の前方部等）に取付部材７２を固定して設けてある。そして、前記取付部材７２に２個の押ボタン７３，７４を設け、一方のボタン７３を操作することによりモータＭ１側のスイッチＳ１をＯＮ，ＯＦＦ（開閉）するようにし、他方のボタン７４を操作することによりモータＭ２側のスイッチＳ２をＯＮ，ＯＦＦ（開閉）するように構成したものである。他の構成は実施の形態１と同様である。
【００４３】
実施の形態３は上記のように構成したもので、これにより実施の形態１と同様の作用効果を奏する。
【００４４】
図１４は本発明の洗浄吸引装置のスイッチ制御手段の他の実施の形態（実施の形態４）の電気回路を説明するために示す説明図である。実施の形態４はタイマーを設けた構成に特徴がある。
【００４５】
実施の形態４は実施の形態１のモータＭ１，Ｍ２と電気的に接続したタイマーＴを設け、１個のスイッチＳ３で両モータＭ１，Ｍ２を間欠的に駆動・停止させるように構成したものである。即ち、実施の形態４では、スイッチＳ３をＯＮ（閉成）することにより、先ず、モータＭ１を前記タイマーＴで設定されている間（例えば約５秒〜約１０秒）だけ駆動し、前記設定した秒が経過した時、モータＭ１の駆動を停止すると共にモータＭ２を駆動するように構成してある。また、モータＭ２はスイッチＳ３をＯＦＦ（開成）することにより停止させるように構成してある。前記スイッチＳ３のＯＮ，ＯＦＦは前記した操作レバーや押ボタン方式等により行なうことができる。他の構成は実施の形態１と同様である。
【００４６】
実施の形態４は上記のように構成したもので、これにより実施の形態１と同様の作用効果を奏する。
【００４７】
図１５は本発明の洗浄吸引装置の他の実施の形態（実施の形態５）の全体構成の概要を示す説明図、図１６は図１５の洗浄吸引装置に採用した噴霧手段の部分を拡大して示す縦断面図、図１７は図１５の洗浄吸引装置の電気回路を示す説明図である。この実施の形態５において、実施の形態１で既に説明した構成と共通する部材には同一符号を付して説明は省略する。
【００４８】
実施の形態５の洗浄吸引装置は容器内の水等の液体をオゾン含有空気と一緒に噴霧させる噴霧手段の構成等に特徴がある。
【００４９】
実施の形態５の噴霧手段は塗装用等のスプレーガン型に構成したものが採用され、噴霧器本体８０と水等の液体Ｗを収容する容器８１を有している。噴霧器本体８０は握持部８２と、この握持部８２と一体形成した胴体部８３と、先端中心部に噴射口８４を有し、胴体部８３の先端に取付けたノズルキャップ８５と、先端中心部に前記噴射口８４と対向するノズル口８６（弁座口）を有し、胴体部８３内の先端部側に設けた液体誘導室８７と、前記室８７内を気密性を保持して前進・後退自在に設けられ、先端８８ａで前記ノズル口８６を開閉するニードル弁棒８８とを備える。また、軸８９を支点として回動自在、かつ、前記弁棒８８と係合９１させると共に復帰バネ９０で復帰する操作レバー９２を有し、レバー９２を操作（握持部８２側に引く）することにより前記ノズル口８６を開口するように構成してある。さらにまた、前記噴射口８４と連通して形成した空気流通路９３と、この流通路９３と握持部８２の下端に設けたジョイント管９４とを接続して設けた空気輸送管９５とを有し、ジョイント管９４の基端突出部９４ａにソケット３１ａで前記空気輸送管３２の一端側を接続してある。これにより前記オゾン発生器１１から圧力送出されるオゾン含有空気は前記空気輸送管９５、空気流通路９３を通って噴射口８４から外部に噴射させるように構成してある。
【００５０】
前記容器８１は外周面にネジ溝を刻設したネジ口部９６を有し、このネジ口部９６を前記液体誘導室８７の適当部（図示では上部側）に、室８７と連通させて設けたネジ筒部９７に螺合させて胴体部８３の先端部側に着脱自在に取付けてある。前記容器８１の底部（図において上端部）には着脱自在に設けた蓋部材９８を有し、蓋部材９８には空気孔９９が形成されている。これにより、容器８１内に収容された液体Ｗ（この実施の形態では水道水等の水）はネジ口部９６から液体誘導室８７内へ入るように構成してある。図１６において、１００は胴体部８３の所定部に摺動自在に設けた係合爪で、この係合爪１００は前記レバー９２の回動範囲を規制するために設けたものである。また、１０１は前記弁棒の後端側に位置させて胴体部８３の後端に設けたキャップ体、１０２は前記誘導室８７に設け、前記弁棒８８を気密性を保持して摺動（前進・後退）させるためのシール部材を示す。
【００５１】
実施の形態５の洗浄吸引装置は、空気送給手段１２のモータＭ１のスイッチをＯＮ，ＯＦＦ（開閉）操作するスイッチ操作部１０３と、バキューム手段５２のモータＭ２のスイッチをＯＮ，ＯＦＦ（開閉）操作するスイッチ操作部１０４と、オゾン発生器１１の電源スイッチをＯＮ，ＯＦＦ（開閉）操作するスイッチ操作部１０５を、図１５に示すように、ハウジング１８の基板１０６上に配置して設けてある。そして、図１７に示すように、スイッチ操作部１０３によりモータＭ１のスイッチをＯＮ，ＯＦＦし、スイッチ操作部１０４でモータＭ２のスイッチをＯＮ，ＯＦＦし、また、スイッチ操作によりオゾン発生器１１の電源スイッチをＯＮ，ＯＦＦするように構成してある。
【００５２】
図１７において、１０７は空気送給手段１２用のパイロットランプ、１０８はバキューム手段５２用のパイロットランプ、１０９はオゾン発生器１１用のパイロットランプ、１１０は電源（例えばＡＣ、１００Ｖ等）を示す。
【００５３】
実施の形態５の洗浄吸引装置は上記のように構成したもので、次に使用方法の一例及び作用等につき説明する。オゾン発生器１１のスイッチ操作部１０５を操作して電源スイッチをＯＮにし、スイッチ操作部１０３を操作してモータＭ１のスイッチをＯＮにすると、モータＭ１により空気送給手段１２が稼動する。
【００５４】
空気送給手段１２が稼動すると、実施の形態１で説明したように、圧力空気がオゾン発生器１１の導入口１９から外筒２１内へ送給され、オゾン含有空気となって排出口２０から圧力送出される。このオゾン含有空気は輸送管３２を通って噴霧器本体８０の輸送管９５へ送給され、同管９５、空気流通路９３を通り、噴射口８４から噴射される。この状態で本体８０を手で握り、レバー９２を操作（握持部８２側に引く）して弁棒８８を後退すると、ノズル口８６が開くので、誘導室８７内の水Ｗは前記空気の噴射圧力（陰圧）により順次霧化されて、オゾン空気と共に噴霧される。そこで、噴射口８４を例えば寝たきり高齢者等の排泄汚物等６６が付着している部位に向けることにより、実施の形態１と同様に皮膚等６４に付着して残っている汚物等６６はきれいに洗浄されて除去される。また、前記レバー９２を開放すると、レバー９２はバネ９０の作用で復帰するので、弁棒８８は前進し、ノズル口８６は閉じて水Ｗの噴霧は停止する。そして、上記洗浄作用を終了後、スイッチ操作部１０５，１０３を操作してオゾン発生器１１の電源スイッチ及びモータＭ１のスイッチをＯＦＦにする。
【００５５】
次いで、バキューム手段５２のスイッチ操作部１０４を操作してモータＭ２のスイッチをＯＮにすると、モータＭ２によりバキューム手段５２が稼動する。そして、前記吸引捕集管５１を手で握り、ノズル口６１を皮膚等６４の所定部に当接するように向けることにより、実施の形態１と同様に前記洗浄により洗い落とされた汚物等６６及び水分を吸引してフィルター５４で捕集する。また、前記フィルター５４を所望時に交換することについても実施の形態１と同様である。なお、ペット用動物等の場合についても上記と同様である。
【００５６】
なお、オゾン水噴霧装置１は上述した実施の形態に限定されるものではない。また、上述した実施の形態では液体として水を使用する例を開示したが、「ぬるま湯」を使用することもできる。さらにまた、適当部に加熱器（図示せず）を設け、オゾン含有空気を加熱して噴射させるように構成することもできる。
【００５７】
【発明の効果】
本発明によれば次のような効果を奏する。（１）皮膚等に付着して残っている排泄汚物等を簡単、かつ、きれいに除去して清潔に維持することができる。（２）汚物等が付着している皮膚等の殺菌・消毒が可能になる。（３）汚物洗浄後の膚等を活性化する効果が期待できる。（４）排泄汚物等の臭気を低レベルに脱臭できる。
【図面の簡単な説明】
【図１】本発明の洗浄吸引装置の一実施の形態の全体構成の概要を示す説明図。
【図２】同上洗浄装置を拡大して断面図で示す説明図。
【図３】同上装置の汚物及び水分吸引捕集管の部分を分解し、断面図で示す説明図。
【図４】同上装置の容器の装着部分を拡大し、一部を断面図として示す説明図。
【図５】同上装置に設けた操作レバーの部分を拡大し、作用を説明するために示す図であって、同図ａは側面方向側から見た説明図、同図ｂは縦断面図。
【図６】同上装置の吸引ノズルの先端部分を示す斜視図（同図ａ）と正面図（同図ｂ）。
【図７】同上装置の吸引捕集管内に収容される水分捕集用フィルターの作用を説明するために示す説明図。
【図８】同上吸引捕集管内に設けた仕切体を示す正面図。
【図９】同上吸引ノズルの作用を説明するために示す説明図。
【図１０】同上装置のスイッチ制御手段の電気回路を説明するために示す説明図。
【図１１】本発明の洗浄吸引装置に採用される吸引捕集管の他の実施の形態を断面図で示す説明図。
【図１２】本発明の洗浄吸引装置に採用されるスイッチ制御手段の他の実施の形態を示す説明図。
【図１３】図１２のスイッチ制御手段の電気回路を説明するために示す説明図。
【図１４】本発明の洗浄吸引装置のスイッチ制御手段の他の実施の形態の電気回路を説明するために示す説明図。
【図１５】本発明の洗浄吸引装置の他の実施の形態の全体構成の概要を示す説明図。
【図１６】図１５の洗浄吸引装置に採用した噴霧手段の部分を拡大して示す縦断面図。
【図１７】図１５の洗浄吸引装置の電気回路を示す説明図。
【符号の説明】
１…オゾン水噴霧装置
２…汚物・水分吸引捕集装置
１１…オゾン発生器
１２…空気送給手段
１３…容器
５１…汚物及び水分吸引捕集管
５２…バキューム手段
５３…吸引ノズル
５４…捕集用フィルター
【図１】
2004275701.tif 000003
【図２】
2004275701.tif 000004
【図３】
2004275701.tif 000005
【図４】
2004275701.tif 000006
【図５】
2004275701.tif 000007
【図６】
2004275701.tif 000008
【図７】
2004275701.tif 000009
【図８】
2004275701.tif 000010
【図９】
2004275701.tif 000011
【図１０】
2004275701.tif 000012
【図１１】
2004275701.tif 000013
【図１２】
2004275701.tif 000014
【図１３】
2004275701.tif 000015
【図１４】
2004275701.tif 000016
【図１５】
2004275701.tif 000017
【図１６】
2004275701.tif 000018
【図１７】
2004275701.tif 000019